(57)【要約】      （修正有）【課題】厚さの異なる紙葉状体の束を１つの装置で綴じることのできるステープラーを提供する。【解決手段】クリンチャ台１と、それに枢着されたスライダ台２、該枢着部に回動するように枢着された操作ハンドル４を持つ。該スライダ台２上には、紙葉状体の厚さに応じた足の長さの異なる綴じ針を格納する複数のマガジンセット３１を備える。該マガジンセット３１は、操作ハンドル４と垂直方向に、スライダ台２上をスライド可能に設けられている。該マガジンセット３１は操作ハンドル４を押し下げると自動または手動でスライドする。該マガジンセット３１をスライドさせる際の、スライドさせる時期、スライドさせる幅はステープラーの備えるスライド制御部により綴じる紙葉状体の厚さを検知し、スライド量を制御する。適切なマガジンセット３１選択後、操作ハンドル４をさらに押し下げることで、綴じ針が押し出され、適切な綴じ針で紙を綴じる。【選択図】図１
2010167543.tif 000002
【特許請求の範囲】
【請求項１】
枚数の異なる紙葉状体の束を一つの装置で綴じることができるステープラーであって、
足の長さを異にする複数種類の綴じ針を格納する格納ユニット(３)を有し、該綴じ針の格納ユニット(３)の中から、紙葉状体の束の厚さに対応する綴じ針を手動または自動で選択するようにした、
ステープラー。
【請求項２】
格納ユニット(３)は、綴じ針の種類の数に対応すべく区画されており、各区画には足の長さを異にする綴じ針を格納するようにしている、
請求項１記載のステープラー。
【請求項３】
格納ユニット(３)は、綴じ針を選択できるように移動可能に構成されており、
紙葉状体の束の厚さを感知する感知手段を有し、
格納ユニット(３)は、複数種類の綴じ針の中から感知手段で感知された紙葉状体の厚さに適合した綴じ針が選択される位置に移動するようにした、
請求項１または２記載のステープラー。
【請求項４】
枚数の異なる紙葉状体の束を一つの装置で綴じることができるステープラーであって、
紙葉状体の束を綴じる台となるクリンチャ台（１）と、
クリンチャ台（１）に上下方向に動くことができるように設けられ、クリンチャ台（１）との間で紙葉状体の束を挟むことができるスライダ台（２）と、
スライダ台（２）にスライドできるように設けられており、スライド方向に並設されそれぞれ足の長さの異なる綴じ針を格納する複数のマガジン（３１１−３１６）を有するマガジンセット（３１）及び各マガジン（３１１−３１６）にそれぞれ対応して設けられ綴じ針を押し出すドライバ（３２１−３２６）を有するドライバセット（３２）を備えている格納ユニット（３）と、
前記ドライバセット（３２）において選択されたドライバ（３２１−３２６）を、綴じ針を押し出す方向に作動させる操作ハンドル（４）と、
前記クリンチャ台（１）とスライダ台（２）で挟まれた紙葉状体の束の厚さを感知し、その厚さに適した綴じ針が格納されたマガジン（３１１−３１６）が選択されるように、操作ハンドル（４）の位置に合わせて格納ユニット（３）をスライドさせるスライド制御部（６）と、
を備えている、ステープラー。
【請求項５】
格納ユニット（３）はスライド方向において一方側へ付勢されており、
各マガジン（３１１−３１６）には、格納ユニット（３）の付勢方向とは反対方向へ順次足がより短くなるようにして綴じ針が格納されており、
スライド制御部（６）は、紙葉状体の束を挟んだときのスライダ台（２）の高さに合わせてスライダ台（２）に対し高さ方向に相対的に動くことにより紙葉状体の束の厚さを感知する感知部材（６２）と、各マガジン（３１１−３１６）にそれぞれ対応して設けられ感知部材（６２）と係止することができる係止部（６１１−６１６）を有する制御部材（６１）とを備え、各係止部（６１１−６１６）は格納ユニット（３）の付勢方向とは反対方向へ段階的に高くなるように形成されており、
前記感知部材（６２）が紙葉状体の束の厚さを感知し、動いた感知部材（６２）が所要の係止部（６１１−６１６）と係止するまで格納ユニット（３）を付勢力でスライドさせることにより、紙葉状体の束の厚さに適した綴じ針が格納されたマガジン（３１１−３１６）が選択されるようにした、
請求項４記載のステープラー。
【発明の詳細な説明】
【技術分野】
【０００１】
本発明は、ステープラーに関するものである。
【背景技術】
【０００２】
まずステープラーとは、大量の紙の資料をバラバラにすることなく、コの字型の綴じ針を紙に貫通させ、曲げることによって、資料をひとつに取りまとめるための道具であり、昔から学校や会社、事務所、家庭にいたるまでさまざまなところで使用されてきた。
【０００３】
前記ステープラーとして、例えば、特許文献１に示すようなものが提案されている。
特許文献１のステープラーは、コの字型の針を収納するとともに該針を前方に付勢する給送手段を備える針収納体と該針収納体に収納される針の最前端の針のみを下方に押し出すことのできる押圧板を備える操作体と該押圧板により下方に押し出された針の両端部を適宜形状に折曲する受座を備えるベースよりなるステープラーにおいて最前端の針の前方に該針を後方に押圧移動しえる作動片を配置し、該作動片と連動する作動体の少なくとも一部を針収納体の外側位置に配置せしめるとともに、前記作動片に押圧板と係合しえる係止部を設けたことを特徴とするものである。
【先行技術文献】
【特許文献】
【０００４】
【特許文献１】公開実用新案公報  昭６２−１９５４７７号
【発明の開示】
【発明が解決しようとする課題】
【０００５】
しかし、特許文献１のステープラーは、綴じ針や本体それぞれに綴じるのに適した厚さがあり、綴じようとする紙の厚さに応じて本体及び綴じ針の種類を変える必要があった。
また、紙を綴じる際に人間が最適な綴じ針の種類を選択する必要があり、厚さによってはどの綴じ針を使うべきであるかの判断が難しい場合があった。
更に、適切な綴じ針の選択を失敗すると綴じ針を１本無駄にすることになり経済的にも資源的にも無駄が生じ、また時間に関しても、失敗した綴じ針を取り除く、再度綴じ針をセットしなおして綴じなおすなどの動作が必要になり面倒であるという問題があった。
【０００６】
（本発明の目的）
そこで、本発明の目的は、さまざまな厚さの資料等の紙葉状体の束をひとつの本体のみで綴じることができるステープラーを提供することにある。
また、本発明の他の目的は、ひとつの本体で複数のマガジンを有し、サイズの異なる多種の綴じ針を装填することができるステープラーを提供することにある。
更に、本発明の他の目的は、人間が判断することなく、綴じる資料の厚さを自動で識別し、その厚さに応じて最適な綴じ針を選択することができるステープラーを提供することにある。
【課題を解決するための手段】
【０００７】
上記課題を解決するために講じた本発明の手段は次のとおりである。
第１の発明にあっては、
枚数の異なる紙葉状体の束を一つの装置で綴じることができるステープラーであって、
足の長さを異にする複数種類の綴じ針を格納する格納ユニットを有し、該綴じ針の格納ユニットの中から、紙葉状体の束の厚さに対応する綴じ針を手動または自動で選択するようにした、
ステープラーである。
【０００８】
第２の発明にあっては、
格納ユニットは、綴じ針の種類の数に対応すべく区画されており、各区画には足の長さを異にする綴じ針を格納するようにしている、
第１の発明のステープラーである。
【０００９】
第３の発明にあっては、
格納ユニットは、綴じ針を選択できるように移動可能に構成されており、紙葉状体の束の厚さを感知する感知手段を有し、格納ユニットは、複数種類の綴じ針の中から感知手段で感知された紙葉状体の厚さに適合した綴じ針が選択される位置に移動するようにした、
第１または第２の発明のステープラーである。
【００１０】
第４の発明にあっては、
枚数の異なる紙葉状体の束を一つの装置で綴じることができるステープラーであって、
紙葉状体の束を綴じる台となるクリンチャ台と、
クリンチャ台に上下方向に動くことができるように設けられ、クリンチャ台との間で紙葉状体の束を挟むことができるスライダ台と、
スライダ台にスライドできるように設けられており、スライド方向に並設されそれぞれ足の長さの異なる綴じ針を格納する複数のマガジンを有するマガジンセット及び各マガジンにそれぞれ対応して設けられ綴じ針を押し出すドライバを有するドライバセットを備えている格納ユニットと、
前記ドライバセットにおいて選択されたドライバを、綴じ針を押し出す方向に作動させる操作ハンドルと、
前記クリンチャ台とスライダ台で挟まれた紙葉状体の束の厚さを感知し、その厚さに適した綴じ針が格納されたマガジンが選択されるように、操作ハンドルの位置に合わせて格納ユニットをスライドさせるスライド制御部とを備えている、
ステープラーである。
【００１１】
第５の発明にあっては、
格納ユニットはスライド方向において一方側へ付勢されており、
各マガジンには、格納ユニットの付勢方向とは反対方向へ順次足がより短くなった綴じ針が格納されており、
スライド制御部は、紙葉状体の束を挟んだときのスライダ台の高さに合わせてスライダ台に対し高さ方向に相対的に動くことにより紙葉状体の束の厚さを感知する感知部材と、各マガジンにそれぞれ対応して設けられ感知部材と係止することができる係止部を有する制御部材とを備え、各係止部は格納ユニットの付勢方向とは反対方向へ段階的に高くなるように形成されており、
前記感知部材が紙葉状体の束の厚さを感知し、動いた感知部材が所要の係止部と係止するまで格納ユニットを付勢力でスライドさせることにより、紙葉状体の束の厚さに適した綴じ針が格納されたマガジンが選択されるようにした、
第４の発明のステープラーである。
（作用）
【００１２】
本発明の作用について、以下説明する。
第１の発明の作用について説明する。
所要枚数の紙葉状体の束をステープラーにセットする。
足の長さを異にする複数種類の綴じ針を格納ユニットにセットする。
該綴じ針の格納ユニットの中から、紙葉状体の束の厚さに対応する綴じ針を手動または自動で選択して、紙葉状体の束を綴じる。
【００１３】
第２の発明の作用について説明する。
格納ユニットは、綴じ針の種類の数に対応すべく区画されているので、各区画に足の長さを異にする綴じ針を格納する。
【００１４】
第３の発明の作用について説明する。
綴じ針を選択できるように移動可能に構成されている格納ユニットと、紙葉状体の束の厚さを感知する感知手段とを有しているので、格納ユニットは、複数種類の綴じ針の中から感知手段で感知された紙葉状体の厚さに適合した綴じ針が選択され、適切な位置に移動する。
【００１５】
第４の発明の作用について説明する。
複数のマガジンに足の長さの異なる綴じ針を格納しておく。
所要枚数の紙葉状体の束をクリンチャ台とスライダ台の間に挟む。
綴じる紙葉状体の束の厚さに適した綴じ針が格納されたマガジンが選択される。
【００１６】
第５の発明の作用について説明する。
〔事前準備〕
複数のマガジンに、足の長さの異なる綴じ針を格納しておく。
格納ユニットをスライダ台上でスライドさせて、制御部材の最も低い位置の係合部にセットする。このとき、格納ユニットは、引っ張りバネにより付勢された状態にある。
【００１７】
〔使用〕
所要厚さの紙葉状体の束を、クリンチャ台とスライダ台の間に差し入れて挟み、操作ハンドルを押し下げる。
すると、感知部材が、紙厚により生じたクリンチャ台とスライダ台の間のスペースを感知し、感知部材が上下動して、制御部材と連動して制御部材の低い方から高い方へ滑るように作動する。
この結果、紙厚に適した足の長さの綴じ針を格納した格納ユニットに対応する箇所の制御部材の係合部で停止し、格納ユニットの中から最適な綴じ針が選択される。
【発明の効果】
【００１８】
本発明は以下の効果を奏する。
（１）枚数の異なる紙葉状体の束をひとつのステープラーで綴じることができるようになるので、紙を綴じるときに綴じ針や本体の種類を選ぶ手間が省かれる。紙を綴じるのに要する時間を短縮することができる。
（２）サイズの異なる綴じ針の装填された複数のマガジンを、紙の厚さに応じて自動で切り換えることができ、厚さの異なるさまざまな資料を綴じることができるステープラーが提供できる。
（３）自動で最適な綴じ針を選択してくれることにより、人間の判断による綴じ針の種類の選択ミスを防ぎ、綴じ針の使用量のロスを軽減させ、経済的、資源的、時間的な負担の少ないステープラーを提供できる。また、判断ミスによる、同じ資料を何度も綴じなければならないという動作もなくなり、肉体的負担の少ないステープラーを提供できる。
【図面の簡単な説明】
【００１９】
【図１】本発明に係るステープラーの一実施の形態を示す斜視説明図。
【図２】複数のマガジンを示す斜視説明図。
【図３】マガジンスライダをスライドさせる前のステープラーの使用状態を示す斜視説明図。
【図４】マガジンスライダをスライドさせた後のステープラーの使用状態を示す斜視説明図。
【図５】スライダ台に設けられたレール溝を示す斜視説明図。
【図６】マガジンスライダの裏側のレール条を示す斜視説明図。
【図７】本発明が実際に紙葉状体を綴じようとする場合の各部の関わりを示す側面視説明図。
【図８】綴じようとする紙葉状体の束が厚いときのスライド制御部の動きを示す斜視説明図。
【図９】綴じようとする紙葉状体の束が図８に示すものと比べて減ったときのスライド制御部の動きを示す斜視説明図。
【図１０】綴じようとする紙葉状体の束が薄いときのスライド制御部の動きを示す斜視説明図。
【発明を実施するための形態】
【００２０】
本発明を図１ないし図１０に示した実施の形態に基づき詳細に説明する。
【００２１】
本発明にかかるステープラーSはクリンチャ台１と、該クリンチャ台１の基部に上下方向に回転可能なように枢着されているスライダ台２と、基端がスライダ台２と共に枢着されており、該枢着部を中心に上下に回転する操作ハンドル４が設けられている。これら各部材は基端部において、ピン８により枢着されている。(図１参照)
【００２２】
クリンチャ台１とスライダ台２、スライダ台２と操作ハンドル４の間にはそれぞれバネ（図示省略）が取着され、操作時操作ハンドルを押し下げた後は、バネの反発力で再びもとの位置（図１に示す角度）まで戻るようになっている。
該クリンチャ台１上には押し出された綴じ針を受け止め、綴じ針を曲げるための曲げ板９が備えられている。
【００２３】
また、スライダ台２には、前記操作ハンドル４と直交する方向へスライド可能に設けられた、マガジンスライダ５を備えており、該マガジンスライダ５上には格納ユニット３を備えている。格納ユニット３は、足の長さの異なる綴じ針を格納するマガジンセット３１と、綴じ針出口側へ送り出す押出部材であるドライバセット３２を備えている。マガジンセット３１は、サイズの異なったマガジン３１１、３１２、３１３、３１４、３１５、３１６を備えている。このマガジンセット３１は格納する綴じ針の足の長いものから短いものの順（図２の右から左の順）に並べられている。(図２参照)
【００２４】
ドライバセット３２はマガジンセット３１上部の綴じ針出口側に設けられ、綴じ針出口側に位置した綴じ針を下方へ押し出す部材で、格納された綴じ針の長さに応じて高さの異なるドライバ３２１、３２２、３２３、３２４、３２５、３２６で構成されている。(図２参照)   
【００２５】
ドライバセット３２の各ドライバ３２１から３２６は、操作ハンドル４によって押し下げられることで綴じ針を押し出す。
操作ハンドル４の幅は各ドライバ３２１から３２６の幅よりも少し大きくなっており、コの字型の断面（図２参照）をしていて、各ドライバ３２１から３２６のうち、１つにはまるようになっており、綴じ針を押し出すためにドライバ３２１から３２６を押す場合は押し出したい綴じ針に対応するドライバのみを押せるようになっている。
【００２６】
各ドライバ３２１から３２６には、マガジン３１１から３１６に設けられた軸（図示省略）が通してあり、各ドライバ３２１から３２６が該軸をガイドとして、垂直に上下動するように取着されている。また、各ドライバ３２１から３２６はバネ（図示省略）によって上方向に付勢されており、各マガジン３１１から３１６と取着されている。これにより操作ハンドル４に押された後、常に元の位置に戻るようになっている。
【００２７】
スライダ台２の上面には、レール溝２１（図５参照）が設けられ、マガジンスライダ５の底面には、レール条５１（図６参照）が設けられ、レール溝２１とレール条５１がはまりあうことで、スライダ台２上をマガジンスライダ５が、図２の横方向にスライドする。スライダ台２の一端側とマガジンスライダ５の一端側に引っ張りバネ７が取着され図２で右方向へ付勢されている。(図１、２参照)
【００２８】
マガジンスライダ５上の基端部側操作ハンドル４の枢着側の端部には綴じようとする紙葉状体の束の厚さに応じて、マガジンスライダ５をスライドさせる幅を制御するためのスライド制御部材６１が設けられている。(図８参照)
スライド制御部材６１の形状は、最も足の短い綴じ針の位置が最も高く、最も足の長い綴じ針の位置が最も低くなるよう段階的に傾斜した階段状の形状であり、各マガジン３１１から３１６と対応する位置にはそれぞれ係止部６１６、６１５、６１４、６１３、６１２、６１１の段差が形成されている。(図２、図８参照)
【００２９】
該スライダ台２の操作ハンドル４の枢着部近傍には、スライド制御部材６１の各係止部６１１から６１６と係合することで、スライダ台２のスライド停止位置を調整する部材であり、高さ方向に設けられた紙厚により生じるクリンチャ台１とスライダ台２の間のスペースを感知する感知部材（感知手段）である紙厚感知体６２が備えられている。(図７、８参照)
【００３０】
該紙厚感知体６２は垂直方向の第１の要素６２１と、第１の要素６２１と連動して上下動する水平方向の第２の要素６２２から形成されている。(図７、８参照)
該紙厚感知体６２の第１の要素６２１は、紙葉状体の束の厚さ、つまりクリンチャ台１とスライダ台２の間のスペースを感知するための部分であり、スライダ台２に形成された貫通穴２３を貫通しており、先端がクリンチャ台１上面に当てられている。（図７、８参照）
【００３１】
該紙厚感知体６２は紙厚感知体押えバネ６３により常時下方向に付勢されており常時クリンチャ台１に押し付けられている。(図７、８参照)
該紙厚感知体押えバネ６３には、スライダ台２に備えられた紙厚感知体押えバネ用軸２２が通され、取着されている。（図７参照）
該紙厚感知体押えバネ用軸２２と操作ハンドル４が、操作ハンドル４を押し下げたときに干渉するので、干渉を避けるため、操作ハンドル４には紙厚感知体押えバネ用軸２２が通る軸用穴４１が形成されている。（図８参照）
【００３２】
該第２の要素６２２には、該紙厚感知体押えバネ用軸２２を通すための貫通穴６２３が形成されており、その第２の要素６２２に設けられた貫通穴と紙厚感知体押えバネ用軸２２により、第２の要素６２２は、垂直方向（図７の上下方向）にしか動かないように拘束されている。（図７、８参照）
【００３３】
該第２の要素６２２は第１の要素６２１の上下動に連動して上下動し、紙厚感知体押えバネ６３により常時下方向に付勢されており、常時スライド制御部材６１に対して上方向から押し付けられ、階段状のスライド制御部材６１の垂直面である係止部６１１から６１６と係合している。(図７、8参照)
このとき、紙厚感知体６２の第２の要素６２２は、垂直面である係止部６１１から６１６と、常時係合しているが、スライド制御部材６１の水平面とは、綴じようとする紙葉状体の厚さによっては係合していないときもある。 (図８、９、１０参照)
【００３４】
なお、本実施の形態では、マガジン３１１から３１６の幅は綴じ針の規格によって均一になっているが、使用する綴じ針の幅が多様である場合も、スライド制御部材６１の形状を適宜設定することによりさまざまな幅の綴じ針に対応して制御することができる。
【００３５】
また、コピー機などの印刷機械に組み込まれて自動的に紙葉状体を束にして綴じるステープラーについても、本発明の構造を応用することで異なる厚さの紙葉状体の束に対応したステープラーにすることもできる。
【００３６】
（作  用）
〔事前準備〕
マガジンセット３１のマガジン３１１から３１６に、足の長さの異なる綴じ針をそれぞれ格納しておく。
マガジンスライダ５をスライダ台２上でスライドさせ、紙厚感知体６２の第２の要素６２２をスライド制御部材６１の最も低い係止部６１１にセットする（図８参照）。このとき、マガジンスライダ５は、バネ７により引っ張られて図２の右方向へ付勢された状態となる。
【００３７】
〔使用〕
所要厚さの紙葉状体の束を、クリンチャ台１とスライダ台２の間に差し入れて挟み、操作ハンドル４を押し下げる。（図７参照）
すると、紙厚感知体６２の第１の要素６２１が、紙厚により生じたクリンチャ台１とスライダ台２の間のスペースを感知し、第２の要素６２２が上下動して、該第２の要素６２２の高さと合う係止部で止まるように、スライド制御部材６１が連動してマガジンスライダ５はスライド制御部材６１の低い方から高い方へ滑るように作動する。（図８、図９、図１０を図番順に参照）
この結果、紙厚に適した足の長さの綴じ針を格納したマガジン３１１から３１６に対応する箇所の係止部（例えば、図１０では係止部６１６）で停止し、マガジン３１１から３１６の中から最適な綴じ針を格納したマガジン（図１０の場合では３１１）が選択される。
【００３８】
さらに操作ハンドル４を押し下げるとマガジンセット３１はそれ以上スライドすることはなく、操作ハンドル４がドライバセット３２のいずれか（図１０の場合では３２１）に当たることで、ドライバ３２１が押し下げられ、ドライバ３２１により綴じ針が押し下げられる。
マガジン３１１から押し出された綴じ針は綴じようとする紙葉状体の束を貫通し、曲げ板９に押し付けられる。
さらに操作ハンドル４を押し下げると、綴じ針は曲げ板９上で曲げられ、紙葉状体の束を綴じる。
【００３９】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００４０】
Ｓ    ステープラー
１    クリンチャ台
２    スライダ台
２１  レール溝
２２  紙厚感知体押えバネ用軸
２３  貫通穴
３    格納ユニット
３１    マガジンセット
３１１    マガジン
３１２    マガジン
３１３    マガジン
３１４    マガジン
３１５    マガジン
３１６    マガジン
３２    ドライバセット
３２１    ドライバ
３２２    ドライバ
３２３    ドライバ
３２４    ドライバ
３２５    ドライバ
３２６    ドライバ
４    操作ハンドル
４１    軸用穴
５    マガジンスライダ
５１  レール条
６    スライド制御部
６１    スライド制御部材
６１１    係止部
６１２    係止部
６１３    係止部
６１４    係止部
６１５    係止部
６１６    係止部
６２    紙厚感知体
６２１    第１の要素
６２２    第２の要素
６２３    貫通穴
６３    紙厚感知体押えバネ
７    バネ
８    ピン
９    曲げ板
【図１】
2010167543.tif 000003
【図４】
2010167543.tif 000004
【図７】
2010167543.tif 000005
【図２】
2010167543.tif 000006
【図３】
2010167543.tif 000007
【図５】
2010167543.tif 000008
【図６】
2010167543.tif 000009
【図８】
2010167543.tif 000010
【図９】
2010167543.tif 000011
【図１０】
2010167543.tif 000012
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
枚数の異なる紙葉状体の束を一つの装置で綴じることができるステープラーであって、
紙葉状体の束を綴じる台となるクリンチャ台（１）と、
クリンチャ台（１）に上下方向に動くことができるように設けられ、クリンチャ台（１）との間で紙葉状体の束を挟むことができるスライダ台（２）と、
スライダ台（２）にスライドできるように設けられており、スライド方向に並設されそれぞれ足の長さの異なる綴じ針を格納する複数のマガジン（３１１−３１６）を有するマガジンセット（３１）及び各マガジン（３１１−３１６）にそれぞれ対応して設けられ綴じ針を押し出すドライバ（３２１−３２６）を有するドライバセット（３２）を備えている格納ユニット（３）と、
前記ドライバセット（３２）において選択されたドライバ（３２１−３２６）を、綴じ針を押し出す方向に作動させる操作ハンドル（４）と、
前記クリンチャ台（１）とスライダ台（２）で挟まれた紙葉状体の束の厚さを感知し、その厚さに適した綴じ針が格納されたマガジン（３１１−３１６）が選択されるように、操作ハンドル（４）の位置に合わせて格納ユニット（３）をスライドさせるスライド制御部とを備え、
格納ユニット（３）はスライド方向において一方側へ付勢されており、
各マガジン（３１１−３１６）には、格納ユニット（３）の付勢方向とは反対方向へ順次足がより短くなるようにして綴じ針が格納されており、
スライド制御部は、紙葉状体の束を挟んだときのスライダ台（２）の高さに合わせてスライダ台（２）に対し高さ方向に相対的に動くことにより紙葉状体の束の厚さを感知する感知部材（６２）と、各マガジン（３１１−３１６）にそれぞれ対応して設けられ感知部材（６２）と係止することができる係止部（６１１−６１６）を有する制御部材（６１）とを備え、各係止部（６１１−６１６）は格納ユニット（３）の付勢方向とは反対方向へ段階的に高くなるように形成されており、
前記感知部材（６２）が紙葉状体の束の厚さを感知し、動いた感知部材（６２）が所要の係止部（６１１−６１６）と係止するまで格納ユニット（３）を付勢力でスライドさせることにより、紙葉状体の束の厚さに適した綴じ針が格納されたマガジン（３１１−３１６）が選択されるようにした、
ステープラー。
【手続補正２】
【補正対象書類名】明細書
【補正対象項目名】０００７
【補正方法】変更
【補正の内容】
【０００７】
上記課題を解決するために講じた本発明の手段は次のとおりである。
本発明にあっては、
枚数の異なる紙葉状体の束を一つの装置で綴じることができるステープラーであって、
紙葉状体の束を綴じる台となるクリンチャ台と、
クリンチャ台に上下方向に動くことができるように設けられ、クリンチャ台との間で紙葉状体の束を挟むことができるスライダ台と、
スライダ台にスライドできるように設けられており、スライド方向に並設されそれぞれ足の長さの異なる綴じ針を格納する複数のマガジンを有するマガジンセット及び各マガジンにそれぞれ対応して設けられ綴じ針を押し出すドライバを有するドライバセットを備えている格納ユニットと、
前記ドライバセットにおいて選択されたドライバを、綴じ針を押し出す方向に作動させる操作ハンドルと、
前記クリンチャ台とスライダ台で挟まれた紙葉状体の束の厚さを感知し、その厚さに適した綴じ針が格納されたマガジンが選択されるように、操作ハンドルの位置に合わせて格納ユニットをスライドさせるスライド制御部とを備え、
格納ユニットはスライド方向において一方側へ付勢されており、
各マガジンには、格納ユニットの付勢方向とは反対方向へ順次足がより短くなるようにして綴じ針が格納されており、
スライド制御部は、紙葉状体の束を挟んだときのスライダ台の高さに合わせてスライダ台に対し高さ方向に相対的に動くことにより紙葉状体の束の厚さを感知する感知部材と、各マガジンにそれぞれ対応して設けられ感知部材と係止することができる係止部を有する制御部材とを備え、各係止部は格納ユニットの付勢方向とは反対方向へ段階的に高くなるように形成されており、
前記感知部材が紙葉状体の束の厚さを感知し、動いた感知部材が所要の係止部と係止するまで格納ユニットを付勢力でスライドさせることにより、紙葉状体の束の厚さに適した綴じ針が格納されたマガジンが選択されるようにした、
ステープラーである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の作用について、以下説明する。
所要枚数の紙葉状体の束をステープラーにセットする。
足の長さを異にする複数種類の綴じ針を格納ユニットにセットする。
該綴じ針の格納ユニットの中から、紙葉状体の束の厚さに対応する綴じ針を手動または自動で選択して、紙葉状体の束を綴じる。
【手続補正８】
【補正対象書類名】明細書
【補正対象項目名】００１３
【補正方法】変更
【補正の内容】
【００１３】
格納ユニットは、綴じ針の種類の数に対応すべく区画されているので、各区画に足の長さを異にする綴じ針を格納する。
【手続補正９】
【補正対象書類名】明細書
【補正対象項目名】００１４
【補正方法】変更
【補正の内容】
【００１４】
綴じ針を選択できるように移動可能に構成されている格納ユニットと、紙葉状体の束の厚さを感知する感知手段とを有しているので、格納ユニットは、複数種類の綴じ針の中から感知手段で感知された紙葉状体の厚さに適合した綴じ針が選択され、適切な位置に移動する。
【手続補正１０】
【補正対象書類名】明細書
【補正対象項目名】００１５
【補正方法】変更
【補正の内容】
【００１５】
複数のマガジンに足の長さの異なる綴じ針を格納しておく。
所要枚数の紙葉状体の束をクリンチャ台とスライダ台の間に挟む。
綴じる紙葉状体の束の厚さに適した綴じ針が格納されたマガジンが選択される。
【手続補正１１】
【補正対象書類名】明細書
【補正対象項目名】００１６
【補正方法】変更
【補正の内容】
【００１６】
〔事前準備〕
複数のマガジンに、足の長さの異なる綴じ針を格納しておく。
格納ユニットをスライダ台上でスライドさせて、制御部材の最も低い位置の係合部にセットする。このとき、格納ユニットは、引っ張りバネにより付勢された状態にある。
【手続補正１２】
【補正対象書類名】明細書
【補正対象項目名】００４０
【補正方法】変更
【補正の内容】
【００４０】
Ｓ    ステープラー
１    クリンチャ台
２    スライダ台
２１  レール溝
２２  紙厚感知体押えバネ用軸
２３  貫通穴
３    格納ユニット
３１    マガジンセット
３１１    マガジン
３１２    マガジン
３１３    マガジン
３１４    マガジン
３１５    マガジン
３１６    マガジン
３２    ドライバセット
３２１    ドライバ
３２２    ドライバ
３２３    ドライバ
３２４    ドライバ
３２５    ドライバ
３２６    ドライバ
４    操作ハンドル
４１    軸用穴
５    マガジンスライダ
５１  レール条
６１    スライド制御部材
６１１    係止部
６１２    係止部
６１３    係止部
６１４    係止部
６１５    係止部
６１６    係止部
６２    紙厚感知体
６２１    第１の要素
６２２    第２の要素
６２３    貫通穴
６３    紙厚感知体押えバネ
７    バネ
８    ピン
９    曲げ板